(57)【特許請求の範囲】
【請求項１】
電池の天面にパッドを載置し、電池の底面から回しかけたベルトで電池とパッドを固定し、前記パッドの前記ベルトとの対向部に凹部もしくは貫通口を形成し、前記ベルトと相対する前記凹部もしくは前記貫通口の周縁部に前記パッドの厚み方向に突出する突起部を電池の天面からの突出物の高さ以上に設けるとともに、前記凹部もしくは前記貫通口に相対する前記ベルト吊り下げ部として構成形成した電池を収納箱に収納し、前記収納箱の天面の開口部に形成され、この開口部を閉塞する小フラップに前記突起部および前記ベルトに対応した切除部を設け、前記小フラップの閉塞状態において、前記切除部に前記突起部および前記ベルトを収納したことを特徴とする電池梱包体。
【発明の詳細な説明】
【０００１】
【発明の属する技術分野】
本発明は電池、特に車両用の鉛蓄電池の包装および梱包形態に関するものである。
【０００２】
【従来の技術】
自動車用の鉛蓄電池の梱包形態として種々のものが提案されてきている。特に、鉛蓄電池は重量物であるため、持運び用の吊り下げ部を組み込んだ梱包形態が提案されている。例えば特開２００１−１９０４１号公報には蓄電池の天面にパッドを載置し、パッドと蓄電池とをベルトで結束して固定し、パッドのベルトに対応した部分に手指が入る程度の把持空間部として凹部もしくは貫通口を形成し、この凹部もしくは貫通口に対応するベルトを電池吊り下げのための吊り下げ部とすることが提案されている。
【０００３】
また、さらにこの吊り下げ部を形成した電池を収納箱に収納する場合に、前記吊り下げ部が電池天面に露出するよう、収納箱の天面を閉塞するフラップに開口部を設けることが記載されている。
【０００４】
自動車用の鉛蓄電池は流通過程さらには商品としての陳列あるいは保管過程において、多段積することから、その包装梱包された状態で天面と底面とをそれぞれ平坦に構成する必要がある。
【０００５】
ところが特開２００１−１９０４１号公報で示された包装形態においては、パッド上にベルトが回しかけられているため、このベルトの厚み分の段差が電池天面に発生する。このような段差は収納箱の厚み方向への変形によって緩和されるものの、この段差によって、多段積時の安定性が低下するという課題があった。
【０００６】
このような課題を解決するためにパッドのベルトと対向する部分に少なくともベルトの厚み寸法と同等以上の溝部を形成することによって、ベルトを回しかけた天面に段差をなくすことができる。
【０００７】
しかしながら、このような構成とした場合、吊り下げ部としてのベルトが収納箱内側方向に移動するため、吊り下げ部を電池から引き出しづらくなったり、吊り下げ部の下部の手指を入れる空間容積が少なくなるために、持運び、積載、開梱作業等の荷扱い作業時における効率が低下するという課題があった。
【０００８】
【発明が解決しようとする課題】
本発明は前記従来技術の問題点に鑑み、吊り下げ部を形成した電池の包装梱包形態において、天面を平坦に構成することによる積載時の安定性と、吊り下げ部の掴みやすさ等、持運び、積載および開梱等の荷扱い時における作業性の良さとを両立した構成を提供することを目的とするものである。
【０００９】
【課題を解決するための手段】
前記した課題を解決するために、本発明の請求項１に係る発明は、電池の天面にパッドを載置し、電池の底面から回しかけたベルトで電池とパッドを固定し、前記パッドの前記ベルトとの対向部に凹部もしくは貫通口を形成し、前記ベルトと相対する前記凹部もしくは前記貫通口の周縁部に前記パッドの厚み方向に突出する突起部を電池の天面からの突出物の高さ以上に設けるとともに、前記凹部もしくは前記貫通口に相対する前記ベルト吊り下げ部として形成した電池を収納箱に収納し、前記収納箱の天面の開口部に構成形成され、この開口部を閉塞する小フラップに前記突起部および前記ベルトに対応した切除部を設け、前記小フラップの閉塞状態において前記切除部に前記突起部および前記ベルトを収納したことを特徴とする電池梱包体を示す。
【００１０】
また、本発明の請求項２記載に係る発明は、請求項１に記載の構成を備えた電池梱包体において、前記小フラップを覆う大フラップを備え、前記大フラップに前記吊り下げ部に対応した透孔を備えるものである。
【００１１】
また、本発明の請求項３記載に係る発明は、請求項２に記載の構成を備えた電池梱包体において、前記透孔は概略長方形状を有し、前記ベルトに平行である前記透孔の互いに対向する２つの透孔辺部を前記収納箱内側方向へ折り曲げて前記凹部もしくは前記貫通口に収納可能となるように、前記透孔の両端近傍にスリットを形成するものである。
【００１２】
さらに、本発明の請求項４記載に係る発明は、請求項３に記載の構成を備えた電池梱包体において、前記２つの透孔辺部の前記収納箱内側方向への折り曲げ時に、前記２つの透孔辺部と前記スリットで構成される係止部を前記パッドに嵌合固定することを特徴とするものである。
【００１３】
そして、本発明の請求項５記載に係る発明は、請求項４に記載の構成を備えた電池梱包体において、前記パッドは発泡樹脂等の塑性変形しうる素材で構成され、前記係止部を前記パッドに噛込んで固定する電池梱包体を示すものである。
【００１４】
【発明の実施の形態】
本発明の目的は、各請求項に記載した構成を実施の形態とすることにより達成できるのであるが、以下には本発明の実施の形態を図面を用いて具体的かつ詳細に説明する。
【００１５】
（第１の実施の形態）
図１は本発明を適用する自動車用鉛蓄電池（以下、電池という）の外観を示す斜視図である。電池１の天面１ａには天面１ａから突出する正極端子２ａおよび負極端子２ｂが設けられている。
【００１６】
この電池１の天面１ａに図２に示すようなパッド３を装着する。パッド３と電池１の天面１ａとの装着面には正極端子２ａ、負極端子２ｂや天面１ａから突出した液栓（図示せず）を収納するための切欠部３ａが設けられている。なお、パッド３の厚みはこれらの正極端子２ａ、負極端子２ｂ等の電池１の天面１ａからの突出物の突出高さ以上に構成する。
【００１７】
このパッド３と電池１とはベルト４で結束固定される。本発明においては図２に示したように、ベルト４は電池１の底面１ｃから側面にかけて回しかけられる。パッド３のベルト４を回しかけた部分に貫通口５を形成する。この貫通口５によって形成された空間が電池持運び時に手指を挿入する空間となるとともに、貫通口５に対応したベルト４が吊り下げ部４ａとして機能する。また、貫通口５に換えて凹部としてもよい。
【００１８】
本発明の電池梱包体Ａにおいては貫通口５のベルト４に対応する周縁部５ａにパッド３の厚み方向に突出する２つの突起部６ａ，６ｂを設ける。そして、この電池１とパッド３とを収納箱７に収納する。収納箱７はダンボール紙等の素材で構成することができる。図３に示したように収納箱７の天面開口部の周縁７ａに開口部を閉塞するための２つの小フラップ８ａ，８ｂが形成されている。この小フラップ８ａ，８ｂには突起部６ａ，６ｂと、この突起部６ａ，６ｂによってパッド３の天面から突出したベルト４に対応した欠除部９ａ，９ｂを設ける。
【００１９】
また、さらに、小フラップ８ａ，８ｂを覆う大フラップ１０を周縁７ｂに設ける。大フラップ１０を折り曲げて収納箱７を閉じた状態において、図４に示したようにＵ字状の切除部９ａ，９ｂに吊り下げ部４ａおよび突起部６ａ，６ｂが収納されるので、小フラップ８ａ，８ｂの上面８ｃ，８ｄから吊り下げ部４ａおよび突起部６ａ，６ｂは突出することがない。なお、この収納が確実に行われるために、小フラップ８ａ，８ｂの厚みは少なくとも吊り下げ部４ａおよび突起部６ａ，６ｂのパッド３からの突出寸法に応じて決定する。また、電池梱包体Ａを積層した際、上に位置する電池梱包体Ａの重量は下に位置する電池梱包体Ａの小フラップ８ａ，８ｂで均一に支持される。ここで図５に示したように、小フラップ８ａ，８ｂは閉じた状態で電池１の天面１ａの周縁を覆うように構成すれば、積層時の安定性を改善することができる。
【００２０】
このような本発明の構成により、電池梱包体において、天面に吊り下げ部を構成することによって、開梱作業等の荷扱い作業性の向上と電池梱包体の積層時の安定性とを両立することができる。
【００２１】
（第２の実施の形態）
本発明の第２の実施の形態による電池梱包体Ｂは前記した第１の実施の形態による電池梱包体Ａにおいて、図６に示したように大フラップ１０に吊り下げ部４ａおよび突起部６ａ，６ｂに対応した透孔１１を設けたものである。なお、図７に示したように、大フラップ１０と小フラップ８ａ，８ｂの厚みの和が吊り下げ部４ａの突出高さ以上となるように構成することによって、電池梱包体Ｂの天面を突出物のない状態で吊り下げ部４ａを電池梱包体Ｂの天面に露出させることができる。ここで透孔１１は吊り下げ部４ａの形状に応じて概略長方形に構成するとよい。
【００２２】
本発明のさらに好ましい実施の形態においては、透孔１１のベルト４に平行な２つの透孔辺部１１ａの両端近傍にスリット１２を形成する。図８に示したように、このスリット１２と透孔辺部１１ａで囲まれた部分を折り曲げ部１１ｂとして収納箱７の内側方向に折り曲げ、パッド３に設けた貫通口５に収納する。折り曲げ部１１ｂを内側に折り曲げることによって吊り下げ部４ａへの手指を挿入する空間が広くなり、吊り下げ部４ａをより把持しやすくなる。
【００２３】
さらに、折り曲げ部１１ｂの透孔辺部１１ａとスリット１２で構成されるエッジ部を係止部１３として貫通口５に嵌合固定することにより、折り曲げ部１１ｂを常に折り曲げた状態で保持することが可能となり、吊り下げ時の作業性をさらに向上させることができる。
【００２４】
係止部１３と貫通口５との嵌合固定手段は種々の構成が考えられる。その好ましい一例としては、パッド３として発泡スチロール等の塑性変形する材料を用い、図８（ａ）に点線円で示した部分を拡大して図８（ｂ）に図示したように、係止部１３をパッド３に噛込ませて固定することが簡便かつ有効な手段である。
【００２５】
【発明の効果】
以上、説明したように、本発明は吊り下げ部を形成した電池の包装梱包形態において、天面を平坦に構成することによる積載時の安定性と、吊り下げ部の掴みやすさ等、持運び、積載および開梱等の荷扱い時における作業性の良さとを両立することができることから、工業上、極めて有用である。
【図面の簡単な説明】
【図１】本発明を適用する電池の外観を示す図
【図２】本発明による電池梱包体を構成する以前の中間段階を示す図
【図３】本発明による電池梱包体において、フラップを開けた状態を示す図
【図４】本発明の第１の実施の形態による電池梱包体の断面を示す図
【図５】本発明の第１の実施の形態による電池梱包体において、大フラップを開けた状態を示す図
【図６】本発明の第２の実施の形態による電池梱包体において、大フラップを開けた状態を示す図
【図７】本発明の第２の実施の形態による電池梱包体の断面を示す図
【図８】本発明の第２の実施の形態による電池梱包体を示す図
【符号の説明】
１  電池
１ａ  天面
１ｃ  底面
２ａ  正極端子
２ｂ  負極端子
３  パッド
３ａ  切欠部
４  ベルト
４ａ  吊り下げ部
５  貫通口
５ａ  周縁部
６ａ，６ｂ  突起部
７  収納箱
７ａ，７ｂ  周縁
８ａ，８ｂ  小フラップ
８ｃ，８ｄ  上面
９ａ，９ｂ  切除部
１０  大フラップ
１１  透孔
１１ａ  透孔辺部
１１ｂ  折り曲げ部
１２  スリット
１３  係止部
Ａ  第１の実施の形態による電池梱包体
Ｂ  第２の実施の形態による電池梱包体
【図１】
0004085692.tif 000002
【図２】
0004085692.tif 000003
【図３】
0004085692.tif 000004
【図４】
0004085692.tif 000005
【図５】
0004085692.tif 000006
【図６】
0004085692.tif 000007
【図７】
0004085692.tif 000008
【図８】
0004085692.tif 000009